(57)【要約】【目的】動画記録中に静止画を記録した場合に，動画記録開始前に予定していた時間の間，動画を記録できるようにする。【構成】ユーザによって動画記録のビット・レートが設定される（ステップ２１）。設定されたビット・レートとメモリ・カードの残り容量とから動画記録の残り時間が算出される（ステップ２３）。動画記録中に静止画が記録されると（ステップ２６，２７），ビット・レートが変更させられる（ステップ２９）。ビット・レートが変更させられるので，静止画記録によりメモリ・カードの残り容量が急に減少しても，動画記録の残り時間が急に減少してしまうことを未然に防止される。【選択図】  図４
2004297430.tif 000002
【特許請求の範囲】
【請求項１】
一定周期で被写体を動画撮影し，動画記録指令に応じて動画の被写体像を表す動画データを圧縮して記録媒体に順次記録し，動画撮影中に静止画記録指令が与えられることに応じて被写体を静止画撮影し，動画を構成する一駒の画像のデータ量よりも多いデータ量をもつ静止画の被写体像を表す静止画データを上記記録媒体に記録するディジタル・カメラにおいて，
上記記録媒体への動画データの残り記録時間を検出する残り記録時間検出手段，
上記残り記録時間検出手段によって検出された残り記録時間を報知する報知手段，
動画データの記録中に静止画記録指令が与えられたかどうかを判定する判定手段，および
上記判定手段によって動画データの記録中に静止画記録指令が与えられたと判定されたことに応じて，上記残り記録時間の間，動画記録を維持するように動画データの圧縮率を調整する調整手段，
を備えたディジタル・カメラ。
【請求項２】
一定周期で被写体を動画撮影し，動画の被写体を表す動画データを得，被写体に応じて動画データの圧縮率を第１の上限値以内において変更し，動画記録指令に応じて動画データを記録媒体に順次記録し，動画撮影中に静止画記録指令が与えられることに応じて被写体を静止画撮影し，動画を構成する一駒の画像の画像データ量よりも多いデータ量をもつ静止画の被写体像を表す静止画データを上記記録媒体に記録するディジタル・カメラにおいて，
上記記録媒体への動画データの残り記録時間を検出する残り記録時間検出手段，
上記残り記録時間検出手段によって検出された残り記録時間を報知する報知手段，
動画データの記録中に静止画記録指令が与えられたかどうかを判定する第１の判定手段，および
上記第１の判定手段によって動画データの記録中に静止画記録指令が与えられたと判定されたことに応じて，上記残り記録時間の間，動画記録を維持するように上記第１の上限値を第２の上限値に変更する変更手段，
を備えたディジタル・カメラ。
【請求項３】
上記記録媒体の残容量を検出する残容量検出手段をさらに備え，
上記残り記録時間検出手段は，上記検出手段によって検出された残容量にもとづいて上記記録媒体の動画データの残り記録時間を検出するものである，
請求項１または２に記載のディジタル・カメラ。
【請求項４】
記録時間を入力する入力手段をさらに備え，
上記残り記録時間検出手段は，上記入力手段によって入力された記録時間を検出するものである，
請求項１または２に記載のディジタル・カメラ。
【請求項５】
上記変更手段によって上記動画データの圧縮率が上記第２の上限値に変更されたことにより，初期記録可能時間を超えて動画データを上記記録媒体に記録できるかどうかを判定する第２の判定手段をさらに備え，
上記変更手段が，上記第２の判定手段により上記初期記録可能時間を超えて動画データを上記記録媒体に記録できると判定されたことに応じて，変更された上記第２の上限値を上記第１の上限値に戻すものである，
請求項２に記載のディジタル・カメラ。
【請求項６】
一定周期で被写体を動画撮影し，動画記録指令に応じて動画の被写体像を表す動画データを圧縮して記録媒体に順次記録し，動画撮影中に静止画記録指令が与えられることに応じて被写体を静止画撮影し，動画を構成する一駒の画像のデータ量よりも多いデータ量をもつ静止画の被写体像を表す静止画データを上記記録媒体に記録するディジタル・カメラにおいて，
上記記録媒体への動画データの残り記録時間を検出し，
検出した残り記録可能時間を報知し，
動画データの記録中に静止画記録指令が与えられたかどうかを判定し，
動画データの記録中に静止画記録指令が与えられたと判定されたことに応じて，上記残り記録時間の間，動画記録を維持するように動画データの圧縮率を調整する，
ディジタル・カメラの制御方法。
【請求項７】
一定周期で被写体を動画撮影し，動画の被写体を表す動画データを得，被写体に応じて動画データの圧縮率を第１の上限値以内において変更し，動画記録指令に応じて動画データを記録媒体に順次記録し，動画撮影中に静止画記録指令が与えられることに応じて被写体を静止画撮影し，動画を構成する一駒の画像の画像データ量よりも多いデータ量をもつ静止画の被写体像を表す静止画データを上記記録媒体に記録するディジタル・カメラにおいて，
上記記録媒体への動画データの残り記録時間を検出し，
検出した残り記録可能時間を報知し，
動画データの記録中に静止画記録指令が与えられたかどうかを判定し，
動画データの記録中に静止画記録指令が与えられたと判定されたことに応じて，上記残り記録時間の間，動画記録を維持するように上記第１の上限値を第２の上限値に変更する，
ディジタル・カメラの制御方法。
【発明の詳細な説明】
【０００１】
【技術分野】
この発明は，ディジタル・カメラおよびその制御方法に関する。
【０００２】
【発明の背景】
ディジタル動画データを記録媒体に記録する方式の中には，圧縮効率の高い被写体については圧縮率を上げ，圧縮効率の低いものについては圧縮率を下げるというようにいわゆる圧縮率（ビット・レート：単位時間当りのデータ量）を変更するＶＢＲ（ｖａｒｉａｂｌｅ  ｂｉｔ  ｒａｔｅ）を利用するものがある。このようなＶＢＲを利用したものにおいて，動画の記録中に記録媒体の残容量を検出し，残容量があるしきい値以下となったときにはビットレートを固定にするＣＢＲ（ｃｏｎｓｔａｎｔ  ｂｉｔ  ｒａｔｅ）を利用し，残容量と固定にされたビットレートとから残り記録時間を精度よく算出するものがある（例えば，特許文献１参照）。
【０００３】
【特許文献１】
特開２０００−１００１６９号公報
【０００４】
また，ＶＢＲを利用した動画記録方式においては，動画記録可能な残り時間を適宜算出するものもある（例えば，特許文献２参照）。
【０００５】
【特許文献２】
特開２０００−３５０１６４号公報
【０００６】
静止画はプリント用などに高画質が要求されるために，静止画のデータ量は，動画を構成する一駒の画像のデータ量よりも多いのが一般的である。このために，動画記録中に静止画を記録した場合には，静止画の記録前後で記録媒体の残容量が極端に変わることがある。動画を記録する残り時間が極端に変化し，予定していた時間の間，動画を記録できないことがある。
【０００７】
【発明の開示】
この発明は，予定していた記録時間の間，動画を記録できるようにすることを目的とする。
【０００８】
第１の発明は，一定周期で被写体を動画撮影し，動画記録指令に応じて動画の被写体像を表す動画データを圧縮して記録媒体に順次記録し，動画撮影中に静止画記録指令が与えられることに応じて被写体を静止画撮影し，動画を構成する一駒の画像のデータ量よりも多いデータ量をもつ静止画の被写体像を表す静止画データを上記記録媒体に記録するディジタル・カメラにおいて，上記記録媒体への動画データの残り記録時間を検出する残り記録時間検出手段，上記残り記録時間検出手段によって検出された残り記録時間を報知する報知手段，動画データの記録中に静止画記録指令が与えられたかどうかを判定する判定手段，および上記判定手段によって動画データの記録中に静止画記録指令が与えられたと判定されたことに応じて，上記残り記録時間の間，動画記録を維持するように動画データの圧縮率を調整する調整手段を備えていることを特徴とする。
【０００９】
第１の発明は，上記ディジタル・カメラに適した制御方法も提供している。すなわち，この方法は，一定周期で被写体を動画撮影し，動画記録指令に応じて動画の被写体像を表す動画データを圧縮して記録媒体に順次記録し，動画撮影中に静止画記録指令が与えられることに応じて被写体を静止画撮影し，動画を構成する一駒の画像のデータ量よりも多いデータ量をもつ静止画の被写体像を表す静止画データを上記記録媒体に記録するディジタル・カメラにおいて，上記記録媒体への動画データの残り記録時間を検出し，検出した残り記録可能時間を報知し，動画データの記録中に静止画記録指令が与えられたかどうかを判定し，動画データの記録中に静止画記録指令が与えられたと判定されたことに応じて，上記初期記録可能時間の動画記録を維持するように動画データの圧縮率を調整するものである。
【００１０】
第１の発明によると，まず，上記記録媒体への動画データの残り記録時間が検出され，報知される。一定周期で被写体が動画撮影され，動画記録指令が与えられると，動画の被写体像を表す動画データが記録媒体に順次記録される。動画データの記録中に静止画記録指令が与えられたかどうかが判定される。静止画記録指令が与えられたと判定されると，残り記録時間の間，動画記録が維持するように動画データの圧縮率が調整される。
【００１１】
動画記録中に静止画記録が行われ，記録媒体の残容量が急に少なくなった場合でも残り記録時間が急に変化してしまうことを未然に防止できる。
【００１２】
第２の発明は，一定周期で被写体を動画撮影し，動画の被写体を表す動画データを得，被写体に応じて動画データの圧縮率を第１の上限値以内において変更し，動画記録指令に応じて動画データを記録媒体に順次記録し，動画撮影中に静止画記録指令が与えられることに応じて被写体を静止画撮影し，動画を構成する一駒の画像の画像データ量よりも多いデータ量をもつ静止画の被写体像を表す静止画データを上記記録媒体に記録するディジタル・カメラにおいて，上記記録媒体への動画データの残り記録時間を検出する残り記録時間検出手段，上記残り記録時間検出手段によって検出された残り記録時間を報知する報知手段，動画データの記録中に静止画記録指令が与えられたかどうかを判定する第１の判定手段，および上記第１の判定手段によって動画データの記録中に静止画記録指令が与えられたと判定されたことに応じて，上記記録時間の間，動画記録を維持するように上記第１の上限値を第２の上限値に変更する変更手段を備えていることを特徴とする。
【００１３】
第２の発明は，上記ディジタル・カメラに適した方法も提供している。すなわち，この方法は，一定周期で被写体を動画撮影し，動画の被写体を表す動画データを得，被写体に応じて動画データの圧縮率を第１の上限値以内において変更し，動画記録指令に応じて動画データを記録媒体に順次記録し，動画撮影中に静止画記録指令が与えられることに応じて被写体を静止画撮影し，動画を構成する一駒の画像の画像データ量よりも多いデータ量をもつ静止画の被写体像を表す静止画データを上記記録媒体に記録するディジタル・カメラにおいて，上記記録媒体への動画データの残り記録時間を検出し，検出した残り記録可能時間を報知し，動画データの記録中に静止画記録指令が与えられたかどうかを判定し，動画データの記録中に静止画記録指令が与えられたと判定されたことに応じて，上記残り記録時間の間，動画記録を維持するように上記第１の上限値を第２の上限値に変更するものである。
【００１４】
第２の発明によると，まず，上記記録媒体への動画データの残り記録時間が検出され，報知される。被写体が動画撮影され，動画の被写体像を表す動画データが得られる。被写体に応じて圧縮率が第１の上限値以内において変更される。動画記録指令が与えられると，動画データは記録媒体に順次記録される。動画データの記録中に静止画記録指令が与えられたかどうかが判定される。静止画記録指令が与えられたと判定されると，残り記録時間の間，動画記録が維持するように，上記動画データの圧縮率の上記第１の上限値が上記第２の上限値に変更させられる。
【００１５】
上記動画データの圧縮率の上限値が第１の上限値から第２の上限値に変更させられるので，圧縮率（圧縮される割合）が大きくなるようにできる。圧縮率が大きくなることにより，圧縮後の動画データのデータ量は少なくなる。残り記録時間の間，動画記録を維持できる。残り記録時間が急に減少するという事態を回避できる。
【００１６】
上記記録媒体の残容量を検出する残容量検出手段をさらに備えてもよい。この場合，残り記録時間検出手段は，上記検出手段によって検出された残容量にもとづいて上記記録媒体の動画データの記録時間を検出することとなろう。
【００１７】
また，記録時間を入力する入力手段をさらに備えてもよい。上記残り時間検出手段は，上記入力手段によって入力された記録時間を検出するものとなろう。
【００１８】
さらに，上記変更手段によって上記動画データの圧縮率が上記第２の上限値に変更されたことにより，初期記録可能時間（動画記録開始前において動画データの記録が可能な時間）を超えて動画データを上記記録媒体に記録できるかどうかを判定する第２の判定手段を備えるようにしてもよい。この場合，上記変更手段は，上記第２の判定手段により上記初期記録可能時間を超えて動画データを上記記録媒体に記録できると判定されたことに応じて，変更された上記第２の上限値を上記第１の上限値（第２の上限値以上の第３の上限値でもよい）に戻すものとなろう。
【００１９】
圧縮率の上限が第２の上限値から第１の上限値に戻されるので，圧縮率が低くなる。初期記録可能時間の間の動画データの記録を確保しつつ，画質の良好な動画データを記録媒体に記録できるようになる。
【００２０】
【実施例の説明】
図１から図４は，第１実施例を示すものである。
【００２１】
図１は，動画記録と静止画記録とが可能なディジタル・カメラの電気的構成を示すブロック図である。
【００２２】
ディジタル・カメラの全体の動作は，ＣＰＵ５によって統括される。
【００２３】
ディジタル・カメラには，静止画記録指令を与えるためのシャッタ・レリーズ・ボタン１，動画記録指令を与えるための動画記録スイッチ２，動画の記録時間を設定する記録時間設定スイッチ３およびビット・レート設定スイッチ４が含まれている。これらのボタン類からの設定信号等は，ＣＰＵ５に入力する。
【００２４】
モード設定スイッチ（図示略）により撮像モードが設定されると，撮像素子１１によって一定周期で被写体が撮像される。被写体像を表す映像信号が一定周期で撮像素子１１から出力される。映像信号は，アナログ／ディジタル変換回路１２においてディジタル画像データに変換される。変換されたディジタル画像データは，ＹＣ変換回路１３に入力し，輝度データＹおよび色差データＣに変換される。輝度データＹおよび色差データＣがビデオ出力ドライバ６に与えられることにより，液晶表示装置７の表示画面上に，撮像された被写体像が動画で表示される。
【００２５】
動画記録スイッチ２が押されると，ＹＣ変換回路１３から出力される輝度データＹおよび色差データＣはメモリ１４にも与えられ，一時的に記憶される。輝度データＹおよび色差データＣはメモリ１４から読み出され，リサイズ回路１５に与えられる。リサイズ回路１５において一駒の画像の大きさが小さくなるように輝度データＹおよび色差データＣがリサイズされる。リサイズされた輝度データＹおよび色差データＣは，ＭＰＥＧ（ｍｏｖｉｎｇ  ｐｉｃｔｕｒｅ  ｅｘｐｅｒｔｓ  ｇｒｏｕｐ）エンコーダ１７においてＭＰＥＧにもとづく圧縮が順次行われる。圧縮された輝度データＹおよび色差データＣは，メモリ・カード１８に与えられ，記録される。
【００２６】
シャッタ・レリーズ・ボタン１が押されると，シャッタ・レリーズ・ボタン１が押されたタイミングで撮像素子１から出力された映像信号に対応する一駒分の画像を表す輝度データＹおよび色差データＣがメモリ１４に一時的に記憶される。一駒分の画像を表す輝度データＹおよび色差データＣは，ＪＰＥＧ（ｊｏｉｎｔ  ｐｈｏｔｏｇｒａｐｈｉｃ  ｅｘｐｅｒｔｓ  ｇｒｏｕｐ）回路１６において圧縮される。ＪＰＥＧ圧縮された輝度データＹおよび色差データＣはメモリ・カード１８に与えられて，記録される。
【００２７】
この実施例によるディジタル・カメラは，通信機能も有している。上述したように，ＭＰＥＧエンコーダ１７から出力された輝度データＹおよび色差データＣは，通信回路１９にも与えられる。通信回路１９によってパーソナル・コンピュータ，他のディジタル・カメラ等に圧縮された輝度データＹおよび色差データＣが送信される。
【００２８】
また，この実施例によるディジタル・カメラは，動画の残り記録時間を液晶表示装置１５の表示画面上に表示することができる。記録時間設定スイッチ３により設定された時間またはビット・レート設定スイッチ４により設定されたビット・レートとメモリ・カード１８の残容量とから決定される時間が，動画の残り記録時間となる。
【００２９】
上述したように，この実施例によるディジタル・カメラは動画記録だけでなく，静止画記録も可能である。一駒の静止画の大きさは，動画を構成する一駒の画像の大きさよりも大きくデータ量も多い。このために，動画記録中に静止画記録が行われると，メモリ・カード１８の残り容量が急に減少し，動画の残り記録時間が急に少なくなることがある。ユーザが予想している時間の間，動画を記録できないことがある。このために，この実施例によるディジタル・カメラにおいては，静止画の記録により動画の残り記録時間が極端に変化しないように，動画の残り記録時間が維持される。より詳しくは，以下の説明によって明らかとなろう。
【００３０】
図２は，記録時間とメモリ・カード１８の残り容量との関係を示しし，図３は，動画ビット・レート（単位時間当たりの駒数）と記録時間との関係を示している。
【００３１】
ユーザによって，ビット・レート設定スイッチ４を用いてビット・レートとして「Ｒ１」が設定されたものとする。メモリ・カード１８の残り容量が「Ｃ０」の場合，ビット・レート「Ｒ１」で動画を記録することができる残り時間とメモリ・カード１８の残り容量との関係は，ラインＬ０（およびＬ０の延長線）で示すものとなる。残り容量Ｃ０の場合に，メモリ・カード１８に記録できる時間（残り記録時間）は，「Ｔ４」（ｓ）となる。
【００３２】
動画データの記録開始から時間「Ｔ１」が経過した時点においてシャッタ・リレーズ・ボタン１が押され，時間「Ｔ２」までの間に静止画データがメモリ・カード１８に記録されると，静止画のデータ量（たとえば，１０Ｍｂｙｔｅ）は，動画を構成する一駒の画像のデータ量（または単位時間当たりのデータ量であり，たとえば１Ｍｂｙｔｅ）よりも多いので，メモリ・カード１８の残り容量が「Ｃ１」から「Ｃ２」に急に減少する（静止画のデータ量はＣ１−Ｃ２）。ユーザによって設定されたビット・レート「Ｒ１」によって動画記録を続行すると，メモリ・カード１８の残り容量が「Ｃ２」の場合，ビット・レート「Ｒ１」で動画を記録することができる残り時間とメモリ・カード１８の残り容量との関係は，ラインＬ３で示すものとなるから，メモリ・カード１８に記録できる時間は，「Ｔ３」までとなってしまう。ユーザは，「Ｔ４」まで動画を記録できると予測していたにも関わらず，予測していた時間まで動画を記録できないこととなる。
【００３３】
このために，この実施例においては，動画記録中に静止画記録が行われ，最初に予測していた時間まで動画記録を続行できない場合には，最初に予測していた時間まで動画記録を続行できるようにビット・レートが変更させられる（すなわち，ＭＰＥＧエンコーダ１７の圧縮率が変更させられる）。図２および図３に示す例であれば，時間「Ｔ２」となった時点でビット・レートが「Ｒ１」から，単位時間当たりのデータ量が少ない「Ｒ２」に変更させられる。ビット・レートが変更させられたので，動画記録時間が長くなる。動画記録開始前に予測していた時間「Ｔ４」までの間，動画の記録を続行することができるようになる。
【００３４】
変更後のビット・レート「Ｒ２」は，次のようにして算出することができる。
【００３５】
まず，静止画のデータ量Ｈｓは，式１から得られる。
【００３６】
Ｈｓ＝（Ｔ４−Ｔ２）・（Ｒ１−Ｒ２）・・・式１
【００３７】
また，ユーザによって設定されたビット・レートＲ１は，式２の関係を有している。
【００３８】
Ｒ１＝Ｃ０／Ｔ４・・・式２
【００３９】
式１と式２とを変形すると変更後のビット・レート「Ｒ２」を表す式３が得られる。
【００４０】
Ｒ２＝｛（Ｃ０−Ｈｓ）Ｔ４−Ｈｓ・Ｔ４｝／｛（Ｔ４−Ｔ２）・Ｔ４｝・・・式３
【００４１】
変更後のビット・レート「Ｒ２」が負または動画として鑑賞できないほどのものとなる場合には，静止画記録を禁止するようにしてもよい。
【００４２】
図４は，ディジタル・カメラの処理手順を示すフローチャートである。
【００４３】
撮像モードが設定されると，ビット・レートの算出または設定が行われる（ステップ２１）。上述したように，ユーザによってビット・レート設定スイッチ４を用いてビット・レートが設定される（ステップ２１）。つづいて，メモリ・カード１８の残容量が検出される（ステップ２２）。ユーザによって記録時間設定スイッチ３を用いて記録時間が設定された場合には，検出された残容量と設定された記録時間とからビット・レートが算出される。
【００４４】
設定されたビット・レートと検出された残容量とからメモリ・カード１８に記録できる動画の残り時間が算出される（ステップ２３）。算出された動画記録の残り時間は，液晶表示装置７の表示画面上に表示される（ステップ２４）。
【００４５】
撮像モードが設定されたのみであれば（ステップ２５でＮＯ），動画記録指令または静止画記録指令に応じて動画データの記録または静止画データの記録が行われるので動画記録スイッチ２の押下に応じて動画データが記録されたか（ステップ２６），シャッタ・レリーズ・ボタン１の押下に応じて静止画データが記録されたか（ステップ２６）がそれぞれ判定される。
【００４６】
メモリ・カード１８に動画データが記録されると（ステップ２６でＹＥＳ），記録に応じてメモリ・カード１８の残り容量が少なくなる。上述したように，静止画データのデータ量は，動画を構成する一駒の画像のデータ量（単位時間当りのデータ量）よりもデータ量が多いので静止画データが記録されると（ステップ２７でＹＥＳ），メモリ・カード１８の残り容量が急に減少することとなる。残り容量が急に減少するので，液晶表示装置７に表示されている動画記録の残り時間（動画が記録されるにつれ，徐々に減少する）も急に少なくなる。この実施例によるディジタル・カメラにおいては，上述したように，動画記録中に静止画記録が行われると，メモリ・カード１８の残容量が検出され（ステップ２８），静止画記録前の動画記録の残り時間を維持できるように，動画記録のビット・レートが変更させられる（ステップ２９）。検出されたビット・レートと変更させられたビット・レートとから再び動画記録の残り時間が算出され（ステップ２３），算出された動画記録の残り時間が表示される（ステップ２４）。動画記録中に静止画が記録されたことにより記録できる動画データの残り時間が急に減少してしまうことを未然に防止できる。
【００４７】
動画データが記録されている場合において（ステップ２６でＹＥＳ），静止画が記録されなければ（ステップ２７でＮＯ），動画記録のビット・レートは変更されない。動画データの記録に応じて，メモリ・カード１８の残容量が減少していくので，メモリ・カード１８の残容量が順次検出され（ステップ２２），検出された残容量を用いて残り時間が算出される（ステップ２３）。
【００４８】
図５から図９は，第２実施例を示すものである。
【００４９】
第１実施例においては，所定のビット・レートを用いて動画データを記録していき，動画データの記録中に静止画データが記録されるとビット・レートを変更して残り記録時間が急に減少しないようにしている。これに対して，第２実施例においては，最大ビット・レートの範囲内においてビット・レートを変更しながら動画データを記録していき，動画データの記録中に静止画データが記録されると最大ビット・レートを変更するものである。
【００５０】
第２実施例においても第１実施例と同様に図１に示すブロック図の構成をもつディジタル・カメラを利用することができる。もっとも，第２実施例においては，上述したように，動画データ記録中においては最大ビット・レートの範囲内においてビット・レートが変更されるものであるのはいうまでもない。
【００５１】
図５は，メモリ・カードの残り容量と残り記録時間との関係を示している。
【００５２】
動画データの記録開始前におけるメモリ・カード１８の残り容量はＣ０１であったとする。ユーザによってビット・レート設定スイッチ４を用いて最大ビット・レートが設定される。設定された最大ビット・レートと残り容量Ｃ０１とから，メモリ・カード１８に動画データを記録できる残り時間Ｔ１５が算出される。グラフＬ０１は，動画データの記録開始前にメモリ・カード１８に残り容量がＣ０１であった場合に，動画記録時間とメモリ・カードの残り容量との関係を示すものである。
【００５３】
被写体に応じて，最大ビット・レートの範囲内においてビット・レートが変更させられながら，動画データがメモリ・カード１８に記録されていく。動画データがメモリ・カード１８に記録されていくにつれて，メモリ・カード１８の残り容量が徐々に少なくなり，動画記録残り時間も少なくなっていく（記録済みの時間が長くなっていく）。実際に動画データがメモリ・カード１８に記録されるときには，ビット・レートが最大ビット・レートの範囲内において変更させられる。記録時間０［ｓ］からＴ１１［ｓ］の間におけるグラフＬ０１とグラフＬ１１との関係から分かるように，実際に動画データがメモリ・カード１８に記録された場合の残り容量は，グラフＬ０１で規定される残り容量よりも多い容量となる。したがって残り記録時間も多くなる。
【００５４】
動画データの記録開始から時間Ｔ１１が経過したときに，シャッタ・レリーズ・ボタン１が押され，メモリ・カード１８に静止画データが記録されると，メモリ・カード１８の残り容量は急に減少する。たとえば，時間Ｔ１１においてメモリ・カード１８の残り容量がＣ１１であったとすると，静止画データの記録が終了した時間Ｔ１２におけるメモリ・カード１８の残り容量はＣ１２となる（静止画データのデータ量はＣ１１−Ｃ１２）。これは，上述したように静止画データのデータ量は動画を構成する各駒の画像の画像データ量より多いからである。
【００５５】
最大ビット・レートが変わらないとすると，メモリ・カード１８の残り容量がＣ１２となったときの残り記録時間と残り容量との関係は，グラフＬ０２で示す関係となり，動画記録開始時を基準に考えると，残り記録時間はＴ１３となる。動画記録開始前に想定していた記録時間Ｔ１５よりも短くなってしまう。実際には動画ビット・レートは最大ビット・レートの範囲内で変更するので時間Ｔ１４まで記録できる。
【００５６】
この実施例においては，動画記録開始前に想定していた記録時間Ｔ１５の間動画記録を維持するように，動画記録中に静止画記録があると単位時間当たりの駒数が少なくなるように最大ビット・レートが変更されるものである。
【００５７】
図６は，メモリ・カードの残り容量と残り記録時間との関係を示し，図７は，最大ビット・レートと記録時間との関係を示している。
【００５８】
ユーザによって最初に設定された最大ビット・レートはＢ０であったとする。動画記録中における時間Ｔ１１においてシャッタ・レリーズ・ボタン１が押され，時間Ｔ１１からＴ１２の間において静止画データがメモリ・カード１８に記録されると，上述したように，メモリ・カード１８の残り容量はＣ１２となる。すると，この実施例によるディジタル・カメラにおいては，時間Ｔ１２において最大ビット・レートがＢ０からＢ１に変更させられる。最大ビット・レートが変更させられたことにより，記録時間と残り容量との関係は，グラフＬ０３で示すようになり，動画記録開始前に想定していた時間Ｔ１５の間，動画データを記録できるようになる。
【００５９】
図８は，ディジタル・カメラの処理手順を示すもので，図４に示す処理に対応している。図８において，図４に示す処理と同一の処理については同一符号を付して説明を省略する。
【００６０】
まず，ユーザによって最大ビット・レートが設定される（ステップ３１）。第１実施例において説明したのと同様に，動画の残り記録時間が算出され（ステップ２３Ａ），液晶表示装置７の表示画面上に表示される（ステップ２４）。動画記録開始前に算出された動画記録の残り時間を初期記録可能時間ということにする。
【００６１】
動画記録中に静止画記録が行われると（ステップ２６および２７でＹＥＳ），静止画記録後のメモリ・カード１８の残り容量で初期記録可能時間の間，動画データの記録できるかどうかが判定される（ステップ３２）。記録できなければ（ステップ３２でＮＯ），上述したように最大ビット・レートが変更させられる（ステップ３３）。
【００６２】
最大ビット・レートが変更させられるので，動画記録中に静止画が記録され，メモリ・カード１８の残り容量が急に減少した場合であっても残り記録時間が急に変化することなく，初期記録可能時間の間，動画データを記録できる。
【００６３】
図９は，変形例を示すもので，最大ビット・レートと記録時間との関係を示している。
【００６４】
上述した第２実施例においては，動画記録中に静止画が記録されることにより，時間Ｔ１２において最大ビット・レートがＢ０からＢ１に変更させられている。最大ビット・レートがＢ１に変更させられた結果，初期記録可能時間の間，動画データをメモリ・カード１８に記録できるようになると，変更させられた最大ビット・レートＢ１が再びもとの最大ビット・レートＢ０に戻される。もっとも，もとの最大ビット・レートでなくとも変更させられた最大ビット・レートＢ１よりも単位時間当たりの駒数が多くなるようなビット・レートに変更すればよい。たとえば，図６も参照して，時間Ｔ２０において，残り記録容量が最初のビット・レートＢ０における残り容量Ｃ１３となると，最大ビット・レートＢ１がもとの最大ビット・レートＢ０に戻される。
【図面の簡単な説明】
【図１】ディジタル・カメラの電気的構成を示すブロック図である。
【図２】メモリ・カードの残り容量と記録時間との関係を示す。
【図３】動画ビット・レートと記録時間との関係を示す。
【図４】ディジタル・カメラの処理手順を示すフローチャートである。
【図５】メモリ・カードの残り容量と記録時間との関係を示す。
【図６】メモリ・カードの残り容量と記録時間との関係を示す。
【図７】最大ビット・レートと記録時間との関係を示す。
【図８】ディジタル・カメラの処理手順を示すフローチャートである。
【図９】最大ビット・レートと記録時間との関係を示す。
【符号の説明】
１  シャッタ・レリーズ・ボタン
２  動画記録スイッチ
３  記録時間設定スイッチ
４  ビット・レート設定スイッチ
５  ＣＰＵ
７  液晶表示装置
１１  撮像素子
１７  ＭＰＥＧエンコーダ
１８  メモリ・カード
【図１】
2004297430.tif 000003
【図２】
2004297430.tif 000004
【図３】
2004297430.tif 000005
【図４】
2004297430.tif 000006
【図５】
2004297430.tif 000007
【図６】
2004297430.tif 000008
【図７】
2004297430.tif 000009
【図８】
2004297430.tif 000010
【図９】
2004297430.tif 000011